(57)【要約】【課題】グレア感を抑制し、かつ、広範囲に光を拡散できる発光素子を用いた照明装置の提供。【解決手段】本発明の一実施の形態は、発光モジュールと、軸方向の一端に発光モジュールが載置された筐体と、一端において前記発光モジュールを囲むように筐体と接合された筒状の連結部と、連結部により前記筐体と連結され、発光モジュールの出射光の進行方向に載置された光透過性のグローブと、グローブを透過した前記出射光を反射する第１の反射膜と、グローブを透過した第１の反射膜からの反射光の進行方向に位置する第２の反射膜と、を具備する照明装置。【選択図】図１
2013077402.tif 000002
【特許請求の範囲】
【請求項１】
発光モジュールと、
軸方向の一端に前記発光モジュールが載置された筐体と、
前記一端において前記発光モジュールを囲むように前記筐体と接合された筒状の連結部と、
前記連結部により前記筐体と連結され、前記発光モジュールの出射光の進行方向に載置された光透過性のグローブと、
前記グローブを透過した前記出射光を反射する第１の反射膜と、
前記グローブを透過した第１の反射膜からの反射光の進行方向に位置する第２の反射膜と、を具備する照明装置。
【請求項２】
発光モジュールと、
軸方向の一端に前記発光モジュールが載置された筐体と、
前記一端において前記発光モジュールを囲むように前記筐体と接合された筒状の連結部と、
前記連結部により前記筐体と連結され、前記発光モジュールの出射光の進行方向に載置された光透過性のグローブであって、前記発光モジュール側とこの発光モジュール側と反対側の二つの面を備えるグローブと、
前記二つの面に形成された第１及び第２の反射膜と、を具備する照明装置。
【請求項３】
前記グローブは、前記発光モジュールの光軸方向に垂直な上下面を備え、前記第１及び第２の反射膜はこの上下面に形成された金属蒸着膜である請求項１または２記載の照明装置。
【請求項４】
前記グローブは、前記発光モジュール側に形成された環状部と、前記環状部の発光モジュールから遠い方の開口を覆う蓋部とを備える請求項１乃至３のいずれか一項に記載の照明装置。
【請求項５】
前記環状部の内側面に形成された光透過性のプリズムを備える請求項１乃至４のいずれか一項に記載の照明装置。
【発明の詳細な説明】
【技術分野】
【０００１】
本発明は、発光ダイオード等の発光モジュールを備えた照明装置に関する。
【背景技術】
【０００２】
近年、省エネルギ−化などを目的として発光ダイオード等の発光素子を用いた照明装置が普及してきている。しかしながら、発光素子は光の指向性が強いため、グレア感（まびじさ）を感じさせ、また、照射範囲が狭いといった不具合があった。照射範囲を用途に適した配光角へ広げるために、発光ダイオードからの光の出射方向に光学素子などを配置することが検討されている。
【先行技術文献】
【特許文献】
【０００３】
【特許文献１】特開２０１０−７３３３７号公報
【特許文献２】特開２００９−９８７０号公報
【特許文献３】特開２０１０−６２００５号公報
【発明の概要】
【発明が解決しようとする課題】
【０００４】
本発明が解決しようとする課題は、発光素子を用いた照明装置において、グレア感を抑制し、かつ、広範囲に光を拡散できる照明装置を提供することにある。
【課題を解決するための手段】
【０００５】
本発明の一実施形態による照明装置は、発光モジュールと、軸方向の一端に発光モジュールが載置された筐体と、一端において発光モジュールを囲むように筐体と接合された筒状の連結部と、連結部により筐体と連結され、発光モジュールの出射光の進行方向に載置された光透過性のグローブと、グローブを透過した出射光を反射する第１の反射膜と、グローブを透過した第１の反射膜からの反射光の進行方向に位置する第２の反射膜と、を具備する。
【０００６】
本発明の一実施形態による照明装置は、発光モジュールと、軸方向の一端に発光モジュールが載置された筐体と、一端において発光モジュールを囲むように筐体と接合された筒状の連結部と、連結部により筐体と連結され、発光モジュールの出射光の進行方向に載置された光透過性のグローブであって、発光モジュール側と前記発光モジュール側と反対側の二つの面を備えるグローブと、発光モジュール側の面と反対側の面に形成された第１及び第２の反射膜と、を具備する照明装置。
【発明の効果】
【０００７】
各実施形態の照明装置によれば、発光モジュールから出た光の一部をグローブ頂部から光軸に平行な方向に出射するとともに、一部をグローブ側部から出射することができる。これにより照明装置のグレア感を抑制し、広範囲に光を拡散することができる。
【図面の簡単な説明】
【０００８】
【図１】本発明の第１の実施形態に係る照明装置を示す光軸と平行な断面の模式図である。
【図２】グローブの変形例を示す光軸と平行な断面の模式図である。
【図３】プリズムの変形例を示す光軸と平行な断面の模式図である。
【発明を実施するための形態】
【０００９】
以下、本発明を実施するための形態について、図面を参照して説明する。なお、以下に参照する複数の図面において、同一または相当部分には同じ符号を付している。
【００１０】
図１は、本発明の第１の実施形態に係る照明装置１を示す断面模式図である。
【００１１】
照明装置１は、一方端に発光モジュール３が搭載された筐体５、筐体５に接続された筒状の連結部７、連結部７に接続されたグローブ９、グローブ９の内側面に設けられたプリズム１１を備える。グローブ９は、光透過性の環状部９ａと環状部９ａの開口を覆う蓋体９ｂとを備え、プリズム１１は環状部９ａの内側面に設けられている。
【００１２】
発光モジュール３は、例えば発光ダイオード（ＬＥＤ）等の半導体発光素子を複数具備する。発光ダイオードには、例えば、青色ＬＥＤに黄色蛍光体を塗布する等して形成した白色ＬＥＤのほか、これに赤みを付加して得られる橙色ＬＥＤや、その他、青色、緑色等を用いることができる。これら半導体発光素子の出射光は、従来のフィラメントを用いた光源に比べてグレア感が強く、目視により残像が残る等の特徴がある。本実施の形態によれば後述するようにこのグレア感を低減することができる。
【００１３】
発光モジュール３は、例えば、アルミニウムなどの金属材料、あるいはセラミックスやエポキシ樹脂などの絶縁材料で形成された平板状の基板を有し、この基板の一表面である実装面に配線パターンが形成されているとともに、実装面の中央域に複数の発光ダイオード(ＬＥＤ)が、例えばマトリクス状に密集配置されている。発光モジュール３の光軸は、発光モジュール３の表面に対し、垂直方向である。
【００１４】
筐体５は、熱伝導性に優れたアルミ等の部材により形成された筒状あるいは円柱状の部材である。筒状の筐体５の内部空間には、発光モジュール３用の点灯回路を設けることができる。円柱状の筐体５には、内側の少なくとも一部に内部空間を具備し、この内部空間内に点灯回路を設けることができる。
【００１５】
筐体５の軸方向の一方端には発光モジュール３が搭載されている。例えば、筐体５の一方端に、発光モジュール３が実装された、平面視で円形状の伝熱性の支持部が設置される。これにより、発光モジュール３で発生した熱を、支持部を介して筐体５に伝え、外部に放熱することができる。伝熱性の支持部は筐体５と一体形成してもよい。
【００１６】
連結部７は単一あるいは複数の部材から構成された筒状の部材であり、軸方向の一端が筐体５の発光モジュール３が実装された一方端に接続されている。図１では、連結部７と筐体５を筐体５の外周縁で接続したが、発光モジュール３を筒の内側に囲む関係にあればよく、筐体５の外周縁より内側で接合させてもよい。
【００１７】
筐体５と連結部７との接続は、例えば、図１に示すように筐体５の凹部（凸部）と、これに位置整合する連結部７の凸部（凹部）とを嵌合させることで実現できる。
【００１８】
連結部７の軸方向の他端には、図１に示すようにグローブ９が設置される。より具体的には、連結体７側にはグローブの環状部９ａが形成され、この環状部９ａのもう一端には環状部９ａの開口を覆う蓋体９ｂが形成されている。環状部９ａの内側面で形成する空間は円柱形でもよいし、多角柱でもよい。
【００１９】
グローブ９には光透過性材料を用い、かつ環状部９ａの上下に反射膜１３ａ、１３ｂを形成する。このようにすることで、発光モジュール３の出射光のうち、反射膜１３ａに照射された光の一部が反射され、環状部９ａを通過して直接外部に、あるいは反射膜１３ｂでさらに反射されて外部に出る。図１には、発光モジュール３からの光が上下の反射膜１３ａ、１３ｂの表面で複数回反射される様子を符号３０ａで、蓋体９ｂから出る光を符号３０ｂで示した。蓋体９ｂから出る光３０ｂは、蓋体９ｂの材料の選定により、光の柔らかさを変えることができる。例えば、蓋体９ｂの発光モジュール側の表面に反射膜１３ｂと同様の反射膜を形成したり、蓋体９ｂを乳白色の光透過性材料としたりする等である。
【００２０】
反射膜１３ａ、１３ｂは、例えば、アルミの蒸着膜により実現できる。つまり、環状部９ａの上下端面は、アルミ蒸着膜により鏡面処理され、入射した光を反射するようになる。また、反射膜１３ｂは、環状部９ａ端面の処理に限らず、連結部７の上端面に形成してもよい。また、環状部９ａと蓋体９ｂの間の反射膜１３ａは蓋体９ｂ側に設けてもよい。この場合は、図１に示すように、蓋体９ｂの一表面の鏡面処理を一括（全面）で行うことが可能となり、製造上の便宜がよい。
【００２１】
グローブ９の材料は、加工性に優れるアクリル樹脂等が望ましいが、光透過性を具備する材料であれば他の材料であってもよい。
【００２２】
図１では、環状部９ａの外周部分を縦方向に三分割し、中央領域の外周を最も大きく、また、中央の上下領域に傾斜面を設けた。環状部９ａの外周形状はこれに限られるものではなく、適宜、光分散性あるいは装飾性等に優れた形状とすることができる。
【００２３】
プリズム１１は、照明装置１のグレア感をより一層抑え、また、光の拡散性を高めるために付加的に用いるものである。プリズム１１は光透過性部材からなり、環状部９ａの内側面に形成されている。プリズム１１には、入射する光の進行方向を変えられるような表面凹凸が施されている。例えば、図１では、プリズム１１の上下縦方向の中央部分を太らせて最大にし、上下端方向に厚みを漸減させることで凹凸を形成した。プリズム１１に用いる光透過性材料は、アクリル樹脂等の合成樹脂を用いることができる。プリズム１１は、環状部９ａの内側面を直接加工して形成してもよいし、別体に形成した環状のプリズムを環状部９ａの内側面に接着させてもよい。別体のプリズム１１を使う際は、環状部９ａとの接合を十分なものとするために、プリズム１１の外側面を環状部９ａの内側面と接合できるようにするのが望ましい。
【００２４】
尚、グローブ９の環状部９ａやプリズム１１の側面は、照明装置の輝度を高めるために、十分に磨き処理されており、透明度が高い状態であることが望ましい。
【００２５】
筐体５の軸方向他端には、図１に示すように口金１７が形成されている。口金１７は、代表的には、シェルおよびアイレットが形成され、これらは筐体５の内部に設置される点灯回路と接続線で電気的に接続されている。点灯回路の出力端は、図示しない配線を介し、コネクタを介してＬＥＤモジュール３に接続される。
【００２６】
図１では、口金１７を使ったＬＥＤ電球を示したが、本実施の形態の発明は天井等から吊るペンダント型にも応用できる。
【００２７】
図２は、グローブ９の変形例を示す断面模式図である。位置関係を示すため、光モジュール３も図２に示した。以下、上記したグローブ９との相違点を中心に図２を参照しつつ説明する。グローブ９の変形例では、環状部９ａと蓋体９ｂにかえて平板状の部材を用いている。平板状のグローブ９は、光モジュール３から遠い面に第１の反射膜１３ａが形成される。また、発光モジュール３に近い面のうち、発光モジュール３の直上の領域を囲み、かつ第１の反射膜１３ａからの反射光が当たる領域に第２の反射膜１３ｂが形成されている。発光モジュール３からの出射光は、平板状のグローブに入射し、一部は第１の反射膜１３ａを透過し、残部は第１の反射膜１３ａで反射される。第１の反射膜１３ａで反射された光は、そのままグローブ９の側面から外部に放出され（３０ｂ）、あるいは、第２の反射膜に入射してさらに反射され外部に放出される（３０ａ）。第１と第２の反射膜１３ａ、１３ｂとの間の往復回数は複数回であってもよい。
【００２８】
図３は、プリズム１１の変形例を示す断面模式図である。照明装置１の煌きを高めるために、図３（ａ）（ｂ）（ｃ）に示すように、プリズム１１の断面構造をより複雑なものにすることができる。図３（ｃ）に示すように凹部の断面形状を凹曲面状にすることもできる。
【符号の説明】
【００２９】
１…照明装置、３…発光モジュール、５…筐体、７…連結部、９…グローブ、９ａ・・・環状部、９ｂ・・・蓋体、１１・・・プリズム、１３ａ、１３ｂ・・・反射膜、１７・・・口金、１９・・・かしめ、３０ａ、３０ｂ・・・発光モジュールからの光
【図１】
2013077402.tif 000003
【図２】
2013077402.tif 000004
【図３】
2013077402.tif 000005